(57)【要約】【課題】本発明の主な目的は、真偽に関する情報をコピーして使えなく、真偽の判定の正確度を高めることができる自己破壊機能を有する真偽判定装置及びその真偽判定方法を提供することにある。【解決手段】上記課題を解決するために本発明では、自己破壊式保護部と、物品の真偽を判定する真偽判定部と、を備えた自己破壊機能を有する真偽判定装置を提供する。前記真偽判定装置において、前記自己破壊機能を有する真偽判定装置は、気密の方式或いは固定連接方式により真偽を判定しようとする物品に一体的に固定され、前記真偽判定部は、前記自己破壊式保護部を介して前記自己破壊機能を有する真偽判定装置と前記真偽を判定しようとする物品が一体的に固定される状態を維持し、前記真偽判定部には、外置式真偽判定用媒体からのデータを取り込むためのデータインターファースが形成されていることを特徴とする自己破壊機能を有する真偽判定装置。
2010521753.tif 000002
【特許請求の範囲】
【請求項１】
一種の自己破壊機能を有する真偽判定装置において、前記真偽判定装置（１０００）は自己破壊式保護部と、物品の真偽を判定する真偽判定部と、を備え、
前記真偽判定装置（１０００）は気密方式或いは固定連接方式により真偽を判定しようとする物品（１００４）に一体的に固定され、
前記真偽判定部は、前記自己破壊式保護部を介して前記自己破壊機能を有する真偽判定装置（１０００）と前記真偽を判定しようとする物品（１００４）が一体的に固定される状態を維持し、
前記真偽判定部には、外置式真偽判定用媒体（８）からのデータを取り込むためのデータインターファース（１６）が形成されていることを特徴とする自己破壊機能を有する真偽判定装置。
【請求項２】
前記真偽判定部には、判定の結果を表示出力或いは音声出力する出力装置（５）が形成されていることを特徴とする請求項１に記載の自己破壊機能を有する真偽判定装置。
【請求項３】
前記真偽判定用媒体（８）は真偽判定用カードであり、前記真偽判定用カード内にはランダムインフォメーションコードが記録され、前記ランダムコードには前記真偽判定用媒体（８）の特有の真偽判定用物品コードが内蔵されていることを特徴とする請求項１或いは請求項２に記載の自己破壊機能を有する真偽判定装置。
【請求項４】
前記気密方式とは、加圧又は減圧方式により密閉体（１００３）を介して、前記真偽判定装置（１０００）と前記真偽を判定しようとする物品（１００４）とを一体的に固定させることを特徴とする請求項３に記載の自己破壊機能を有する真偽判定装置。
【請求項５】
前記自己破壊式保護部は、気圧変化破壊式保護部を含み、前記気圧変化破壊式保護部は、前記密閉体（１００３）内の気圧変化により作動されることを特徴とする請求項４に記載の自己破壊機能を有する真偽判定装置。
【請求項６】
前記自己破壊式保護部は、分離破壊式保護部を含み、前記分離破壊式保護部は前記真偽判定装置（１０００）と前記真偽を判定しようとする物品（１００４）とが一体連結後の相対的な位置の変化により作動されることを特徴とする請求項３に記載の自己破壊機能を有する真偽判定装置。
【請求項７】
前記気圧変化破壊式保護部が形成される前記真偽判定装置（１０００）は、気圧変化により伸縮する隔膜（３１６）により第一密閉室（１００１）と第二密閉室（１００２）に分離され、
前記第一密閉室（１００１）は、外部と空気が流れるように貫通され、
前記第二密閉室（１００２）は、前記真偽判定装置と前記真偽を判定しようとする物品（１００４）に一体的に固定させる密閉体（１００３）と貫通され
前記隔膜（３１６）は、前記第二密閉室（１００２）の内の気圧の変化に伴って伸縮され、よって前記気圧変化破壊式保護部を作動させることを特徴とする請求項５に記載の自己破壊機能を有する真偽判定装置。
【請求項８】
前記分離破壊式保護部が形成される前記真偽判定装置（１０００）の内には、真偽を判定しようとする物品（１００４）に形成される磁気物（３２６）と磁気バランスを維持する磁気物（３２６）が形成され、
前記真偽判定装置（１０００）と前記物品（１００４）は一体的に形成され、
前記真偽判定装置の磁気物（３２６）と前記物品の磁気物（３２６）との間には、磁気スイッチ（３２５）が形成され、
前記磁気スイッチ（３２５）は、２つの磁気物の間の磁気バランスの変化に伴ってスイッチを切り替え、よって前記分離破壊式保護部を作動させることを特徴とする請求項６に記載の自己破壊機能を有する真偽判定装置。
【請求項９】
前記真偽判定部は、プログラム、指令、暗号解読手段を使って、前記真偽判定用媒体（８）内の物品コードを読み出すマイクロプロセッサー（１）を含み、
前記自己破壊式保護部は、前記マイクロプロセッサー（１）が自己で破壊するようにする自己破壊式電気回路（４）と、前記自己破壊式電気回路（４）の駆動を制御する自己破壊式トリガー回路（３）と、を含み、
前記真偽判定装置は、前記電気回路と電気部品に電気を提供する電源装置（6）をさらに含むことを特徴とする請求項１或いは請求項２に記載の自己破壊機能を有する真偽判定装置。
【請求項１０】
前記自己破壊式トリガー回路（３）は、包装体破損式トリガー回路（３１）と、磁気バランス式トリガー回路（３２）と、感光式トリガー回路（３３）と、分離式トリガー回路（３４）と、低電圧式トリガー回路（３５）と、使用回数制限式トリガー回路（３６）と、を含み、
前記包装体破損式トリガー回路の出力端（３１２）と、前記磁気バランス式トリガー回路の出力端（３２２）と、前記感光式トリガー回路の出力端（３３２）と、前記分離式トリガー回路の出力端（３４２）と、前記低電圧式トリガー回路の出力端（３５２）と、前記使用回数制限式トリガー回路の出力端（３６２）と、は、それぞれ前記自己破壊式電気回路の受信入力端（４３）に電気的に接続され、
前記包装体破損式トリガー回路（３１）の入力端には、トリガースイッチ（３１５）が電気的に接続され、
前記磁気バランス式トリガー回路（３２）の入力端には、磁気バランス式センサー（３２５）が電気的に接続され、
前記感光式トリガー回路（３３）の入力端には、感光式素子（３３５）が電気的に接続され、
前記分離式トリガー回路（３４）の入力端には、防分解式スイッチ（３４５）が電気的に接続され、
前記低電圧式トリガー回路（３５）の入力端（３５１）は、前記電源装置の電源出力端（６１）に電気的に接続され、
前記使用回数制限式トリガー回路（３６）の入力端（３６３）は、前記マイクロプロセッサー（１）の使用回数制限式出力端（１７）に電気的に接続されていることを特徴とする請求項９に記載の自己破壊機能を有する真偽判定装置。
【請求項１１】
前記自己破壊式電気回路（４）は、高圧の電気を出力して所定の部品を壊す電圧破壊式電気回路、或いは異常な場合記録される情報を削除する情報削除式電気回路であることを特徴とする請求項９に記載の自己破壊機能を有する真偽判定装置。
【請求項１２】
一種の自己破壊機能を有する真偽判定方法であって、真偽を判定しようとする物品（１００４）が気密方式或いは直接連接方式により一体的に固定される真偽判定装置（１０００）に対し、外置式真偽判定用媒体（８）を用いて真偽を判定しようとする物品（１００４）に対し真偽を判定する方法であり、前記真偽判定装置（１０００）内に設けられている真偽判定部は前記真偽判定用媒体（８）から真偽判定用情報コードを識別し且つ演算処理を行うことにより、本物が特有する物品コードを読み出して、物品の真偽を判定する自己破壊機能を有する真偽判定方法において、
前記真偽判定用媒体（８）を前記真偽判定装置（１０００）との協働状態に設置する第一ステップと、
前記真偽判定装置（１０００）内のプログラム、指令、暗号解読手段を使って、前記真偽判定用媒体（８）内のランダムコードから本物の特有の物品コードを読み出す第二ステップと、
判定する結果を出力する第三ステップと、
を含むことを特徴とする自己破壊機能を有する真偽判定方法。
【請求項１３】
前記第一ステップは、真偽を判定しようとする物品（１００４）と前記真偽判定装置（１０００）との協働作業状態が有効であるかを検査するステップと、
前記真偽判定用媒体（８）を前記真偽判定装置（１０００）との協働作業状態に設置するステップと、
前記真偽判定装置（１０００）の開閉制御ボタン（２）を起動して真偽判定装置（１０００）を作動させるステップと、
を含むことを特徴とする請求項１２に記載の自己破壊機能を有する真偽判定方法。
【請求項１４】
前記第二ステップは、前記真偽判定装置（１０００）内のマイクロプロセッサー（１）がプログラム、指令を使って、前記真偽判定用媒体（８）内のランダムコードから判定用コードを読み取り、識別、配列するステップと、
マイクロプロセッサー（１）内のプログラム、指令／暗号解読手段を使って、前記判定用コードの暗号解読演算を行って判定用ソースコードを取得するステップと、
前記ソースコードを翻訳して物品コードを形成し、前記表示装置（５）に表示させるステップと、
表示された前記物品コードと真偽判定用媒体（８）に対応する特有のコードと同じであるかを検査するステップと、を含むことを特徴とする請求項１３に記載の自己破壊機能を有する真偽判定方法。
【請求項１５】
前記第三ステップで、判定の結果を表示出力／音声出力することを特徴とする請求項１２に記載の自己破壊機能を有する真偽判定方法。
【発明の詳細な説明】
【技術分野】
【０００１】
本発明は、商品又は物流の真偽判定技術に関し、特にプログラム、指令、暗号解読手段を使って、商品コードを読み出し、識別、暗号解読して、自己破壊機能を有する真偽判定装置及びその真偽判定方法に関する。
【背景技術】
【０００２】
従来から、商品の真偽を判定するためには、特殊な材料または特殊な構造を有する偽造防止型包装体を採用するか、商品又は包装体に特殊な材料或いは特殊な工程で製造する偽造防止用標識を設け、使用者が視覚的に商品の真偽を判定するようにしている。しかし、製造技術と印刷技術の急速な発展に伴い、偽造者は容易に贋作を製造でき、且つ本物そっくりの偽物を作ることができる。よって、これらの偽造防止用品は偽造防止機能を有しないだけでなく、却って偽造品に「合法」的な保護を与えることもある。
【０００３】
前記問題を解決するために、前記物品の表面或いは包装体の表面にインタネット或いは電話で真偽を査問する電子製品コード（Electronic Product Code）を形成することができる。即ち、前記物品の使用者がインタネット或いは電話で前記電子製品コードを査問すると、前記物品の真偽を判定することができる。しかし、偽物の製造者が前記電子製品コードをコピーして前記偽物に使い、且つインタネット或いは電話で本物より早く査問すると、偽物が本物になり、本物が偽物になる。即ち、査問の結果は時間の前後と関係するだけであって、物品の真偽とは関係がない。
【０００４】
今、電波真偽識別技術（Radio Frequency Identification）もよく使われている。前記電波真偽識別技術は、電波による非接触通信とＩＣチップを利用して物品の真偽を識別する非接続式真偽識別技術である。具体的には、物品の情報が入っているＩＣチップが物品或いは包装体に連接（装着）されている。物品の真偽を査問使用する者がリーダーライタと呼ばれる専用装置を前記ＩＣチップの情報を読み取り、且つ読み取った情報により物品の真偽を識別することができる。前記電波真偽識別技術で物品の真偽を識別することができるが、偽物の製造者が前記ＩＣ チップをコピーして何回使うことができる欠点がある。且つ、前記電波真偽識別技術の製造コストが高いので、値段が安い物品に広く使うことができない。
【発明の概要】
【発明が解決しようとする課題】
【０００５】
本発明が解決しようとする課題は、真偽に関する情報をコピーして使えなくするとともに、真偽の判定の正確度を高めることができる自己破壊機能を有する真偽判定装置及びその真偽判定方法を提供することである。
【課題を解決するための手段】
【０００６】
上記課題を解決するために本発明では、自己破壊式保護部と、物品の真偽を判定する真偽判定部と、を備えた自己破壊機能を有する真偽判定装置を提供する。前記真偽判定装置は、前記自己破壊機能を有する真偽判定装置は、気密方式或いは固定連接方式により真偽を判定しようとする物品に一体的に固定され、前記真偽判定部は、前記自己破壊式保護部を介して前記自己破壊機能を有する真偽判定装置と前記真偽を判定しようとする物品が一体的に固定される状態を維持し、前記真偽判定部には、外置式真偽判定用媒体からのデータを取り込むためのデータインターファースが形成されていることを特徴とする。
【０００７】
前記自己破壊機能を有する真偽判定装置において、前記真偽判定部には判定の結果を表示出力或いは音声出力する装置が形成されている。
【０００８】
前記自己破壊機能を有する真偽判定装置において、前記真偽判定用媒体として、真偽判定用カードを使い、前記真偽判定用カードの内にはランダムコードが記録され、前記ランダムコードには前記真偽判定用カードの特有の物品コードが内蔵されている。
【０００９】
前記自己破壊機能を有する真偽判定装置において、加圧又は減圧方式により、且つ前記密閉体を介して前記真偽判定装置と前記真偽を判定しようとする物品とを一体的に固定させる。
【００１０】
前記自己破壊機能を有する真偽判定装置において、前記自己破壊式保護部は、気圧変化破壊式保護部を含み、前記気圧変化破壊式保護部は、前記密閉体の内の気圧変化により作動される。
【００１１】
前記自己破壊機能を有する真偽判定装置において、前記自己破壊式保護部は、分離破壊式保護部を含み、前記分離破壊式保護部は前記偽判定装置と前記真偽を判定しようとする物品を分離させることにより作動される。
【００１２】
前記自己破壊機能を有する真偽判定装置において、前記気圧変化破壊式保護部が形成される前記真偽判定装置は、気圧変化により伸縮する隔膜により第一密閉室と第二密閉室に分離されている。前記第一密閉室は、外部と空気が流れるように貫通されている。前記第二密閉室は、完全に密閉され、且つ前記真偽判定装置と前記真偽を判定しようとする物品に一体的に固定させる密閉体と貫通されている。前記隔膜は、前記第二密閉室の内の気圧が変わる場合元の形状に戻り、且つ前記気圧変化破壊式保護部を作動させる。
【００１３】
前記自己破壊機能を有する真偽判定装置において、前記分離破壊式保護部が形成される前記真偽判定装置の内には、真偽を判定しようとする物品に形成される磁気物と磁気バランスを維持する磁気物が形成されている。前記真偽判定装置と前記物品は一体的に形成されている。前記真偽判定装置の磁気物と前記物品の磁気物との間には、磁気スイッチが形成されている。前記磁気スイッチは、２つの磁気物の間の磁気バランスが破損される場合前記分離破壊式保護部を作動させる。
【００１４】
前記自己破壊機能を有する真偽判定装置において、前記真偽判定部は、プログラム、指令、暗号解読手段などを使って、前記真偽判定用カードの内の物品コードを読み出すマイクロプロセッサーを含む。前記自己破壊式保護部は、異常な状態が発生する場合前記マイクロプロセッサーが自己で破壊するようにする自己破壊式電気回路と、前記自己破壊式電気回路の駆動を制御する自己破壊式トリガー回路と、を含む。前記真偽判定装置は、前記電気回路或いは電気部品に電気を提供する電源装置をさらに含む。
【００１５】
前記自己破壊機能を有する真偽判定装置において、前記自己破壊式トリガー回路は、包装体破損式トリガー回路と、磁気バランス式トリガー回路と、感光式トリガー回路と、分離式トリガー回路と、低電圧式トリガー回路と、使用回数制限式トリガー回路と、を含む。前記包装体破損式トリガー回路の出力端と、前記磁気バランス式トリガー回路の出力端と、前記感光式トリガー回路の出力端と、前記分離式トリガー回路の出力端と、前記低電圧式トリガー回路の出力端と、前記使用回数制限式トリガー回路の出力端と、は、全部前記自己破壊式電気回路の受信入力端に電気的に接続されている。前記包装体破損式トリガー回路の入力端には、トリガースイッチが電気的に接続されている。前記磁気バランス式トリガー回路の入力端には、磁気バランス式センサーが電気的に接続されている。前記感光式トリガー回路の入力端には、感光式素子が電気的に接続されている。前記分離式トリガー回路の入力端には、防分解式スイッチが電気的に接続されている。前記低電圧式トリガー回路のの入力端は、前記電源装置の電源出力端に電気的に接続されている。前記使用回数制限式トリガー回路のの入力端は、前記マイクロプロセッサーの使用回数制限式出力端に電気的に接続されている。
【００１６】
前記自己破壊機能を有する真偽判定装置において、前記自己破壊式電気回路は、高圧の電気を出力して所定の部品を壊す電圧破壊式電気回路、或いは異常な状況が発生すると記録された情報を削除する情報削除式電気回路である。
【００１７】
上記課題を解決するために本発明で真偽を判定しようとする物品が気密方式或いは直接連接方式により一体的に固定される真偽判定装置に対し、外置式真偽判定用媒体を用いて真偽を判定しようとする物品に対し真偽を判定する方法であり、前記真偽判定装置内に設けられている真偽判定部は前記真偽判定用媒体から真偽判定用情報コードを識別し且つ演算処理を行うことにより、本物が特有する物品コードを読み出して、物品の真偽を判定する自己破壊機能を有する真偽判定方法を提供する。前記真偽判定方法は、前記真偽判定用媒体を前記真偽判定装置との協働状態に設置する第一ステップと、前記真偽判定装置内のプログラム、指令、暗号解読手段を使って、前記真偽判定用媒体内のランダムコードから本物の特有の物品コードを読み出す第二ステップと、判定する結果を出力する第三ステップとを含む。
【００１８】
前記自己破壊機能を有する真偽判定方法において、前記第一ステップは、前記真偽判定用媒体と前記真偽判定装置が協力するか検査するステップと、前記真偽判定用媒体が前記真偽判定装置と協力するようにするステップと、前記真偽判定装置の開閉制御ボタンを制御して真偽判定装置を作動させるステップと、を含む。
【００１９】
前記自己破壊機能を有する真偽判定方法において、前記第二ステップは、前記真偽判定装置の内のプログラム、指令、暗号解読手段などを使って、前記真偽判定用媒体の内のランダムコードを識別、配列して判定用コードを読み出すステップと、前記真偽判定装置の内のプログラム、指令、暗号解読手段などを使って、前記判定用コードを識別、暗号解読してソースコードを得るステップと、前記ソースコードを翻訳して商品コードを形成するステップと、読み出す商品コードと真偽判定用媒体の特有のコードと同じであるかを検査するステップと、を含む。
【００２０】
前記自己破壊機能を有する真偽判定方法において、前記第三ステップで、判定の結果を表示する表示装置或いは判定の結果を放送する。
【発明の効果】
【００２１】
上述した本発明の自己破壊機能を有する真偽判定装置のマイクロプロセッサーには、自分で壊れられる自己破壊式電気回路が形成されている。前記真偽判定装置のマイクロプロセッサーの内の真偽判定用プログラムと暗号化手段は、自己破壊式電気回路を設置した後、前記マイクロプロセッサーに形成したので、偽物製造者が前記真偽判定用プログラムと暗号化手段を得ることができない。即ち、偽物製造者が前記真偽判定用プログラムと暗号化手段をコピー或いは模造しようとする場合、前記自己破壊式電気回路により前記マイクロプロセッサーの内のプログラムと暗号化手段がなくなるので、即ち、上述した場合で１つの状況だけが発生しても、真偽判定装置が自己で壊れる。前記真偽判定装置に自己破壊式電気回路４が形成されているので、偽物製造者がコピー或いは模造しようとする原物と見本を得ることができない。
【００２２】
本発明の真偽判定装置或いは真偽判定方法は、前記マイクロプロセッサーに形成されるプログラム、指令、暗号化用プログラムを使って、前記真偽判定用カードの内の大量のランダムコードで判定用コードを読み出す。次に、前記判定用コードを何回解読（decryption）し、演算して使用者が分かることができるソースコードを獲るので使用者が物品の真偽を容易に判定することができる。前記真偽判定装置のハードウエア、判定用プログラム、暗号解読手段はみんな前記自己破壊式電気回路に保護されているので、偽物製造者が前記真偽判定装置をコピー或いは模造して使うことを防ぎ、真偽の判定の正確度を高めることができる。
【図面の簡単な説明】
【００２３】
【図１】図１は、本発明の自己破壊機能を有する真偽判定装置と真偽判定方法に使う電気回路を示す概略図である。
【図２】図２は、本発明の自己破壊機能を有する真偽判定装置と真偽を判定しようとする物品が気密の方式により一体的に連接されることを示す概略断面図である。
【図３】図３は、本発明の自己破壊機能を有する真偽判定装置と真偽を判定しようとする物品が一体的に固定されることを示す概略断面図である。
【図４】図４は、本発明の自己破壊機能を有する真偽判定装置と真偽判定方法における真偽判定方法を示すフローチャートである。
【発明を実施するための形態】
【００２４】
以下、添付される図を参照しながら本発明の実施形態に基づいて詳しく説明する。
【００２５】
本発明は、下記の問題を解決すべくなされたものである。今、使っている偽造防止技術が多くあるが、偽造を有効に防げる技術は多くない。これは、商品を製造するメーカとお客さんとの間の関係が切れているのためである。メーカで偽造を防ぐために、特殊な材料或いは特殊な工程で製造する包装体、商標、標識、電子製品コードなどを使うが、偽物の製造者がこれを模倣して使うことができるから、偽造防止の効果が悪くなる。即ち、上述した偽造防止物は、本物だけがある唯一の特徴と、コピーして使えない特徴と、本物と分離される後続いて使えない特徴を有しないので、偽造防止の効果が悪くなる。従って、偽物の製造者が本物の商品を模倣して偽物を製造するか、本物の包装体を模倣して製造する包装体で偽物を包装するか、使った本物の包装体で偽物を包装することができる。これで、偽造防止手段と、偽造を防止しようとする商品と、の間に必然的な関係がなく、且つ偽造防止手段の真偽と、商品の真偽と、の間にも関係がない。即ち、本物である偽造防止手段を有する商品がきっと本物であると判定することができない。だから、本物の商品を買うためには、お客さんが直接にメーカに行って買うものがよい。しかし、直接にメーカに行って買うものは、実施の可能性がほとんどない。お客さんが商品の真偽を容易に判定するように、本発明で自己破壊機能を有する真偽判定装置と真偽判定方法を提供する。本発明の真偽判定方法は、商品のメーカとお客さんとの間の連結を強化し、偽物とお客さんとの間の連結を切ってしまって、お客さんが本物の商品を買うようにする。且つ、本発明の自己破壊機能を有する真偽判定装置と真偽判定方法は、本物だけがある唯一の特徴と、コピーして使えない特徴と、本物と分離される後続いて使えない特徴を有するので、偽造防止装置の真偽と商品の真偽との間に関係があるようになる。
【００２６】
以下、自己破壊機能を有する真偽判定装置と真偽判定方法の作動の原理について説明する。まず、真偽を判定しようとする商品に一体的に固定されている真偽判定装置を提供する。前記商品と前記真偽判定装置との間は真空或いは高圧に密閉され、且つ両者が一体的に連接されている。前記商品と前記真偽判定装置との間には、トリガー回路で駆動する自己破壊式保護回路が形成されている。前記自己破壊式保護回路は、偽造防止手段を模造して使うか、ＩＣチップのプログラム、指令、パスワードなどをコピーして使うものを防ぐことができる。本発明の真偽判定装置を使う場合、信用がよい専門部門でお客さん或いは商品真偽の管理部門に真偽判定用媒体をあげることができる。本実施形態で真偽判定用媒体として真偽判定用カードを使うが、他の実施形態で携帯電話などを真偽判定用媒体にして使ってもよい。商品の真偽を判定しようとする場合、前記真偽判定装置と前記真偽判定用カードにより商品の真偽を判定する。前記真偽判定用カードの情報が盗まれることを防ぐために、真偽判定用カードに二進式（the binary system）ランダムコードが多く入力されている。前記商品の情報を示すコードの数量は、前記ランダムコードの数量に比較して極に少なく、且つ商品のコードがランダムコードの内に分散されている。前記真偽判定用カードに入力されているソースコード（source code）でないので、偽物の製造者が前記真偽判定用カードの二進式コードを読み出しても、どれが商品の情報を示すコードが分かることができない。前記真偽判定用カードの商品コードは、真偽判定装置がないと読み出すことができない。即ち、前記真偽判定装置がマイクロプロセッサーに入っているプログラム、指令により、前記真偽判定用カードの内の商品コードを読み出す。且つ、読み出した商品コードを何回解読（decryption）し、演算して使用者が分かることができるソースコードを獲る。最後、前記ソースコードを前記真偽判定装置に設けられる表示装置或いはスピーカーに転送すると、使用者がソースコードにより商品の真偽を判定することができる。前記真偽判定用カードに入力されている唯一のコードを読み出せる真偽判定装置だけが本物の真偽判定装置であり、本物の真偽判定装置に一体的に密閉連接される商品だけが本物の商品である。
【００２７】
図１は、本発明の自己破壊機能を有する真偽判定装置と真偽判定方法に使う電気回路を示す図であり、図２は、本発明の自己破壊機能を有する真偽判定装置と真偽を判定しようとする商品が一体的に設置されることを示す概略断面図であり、図３は、本発明の自己破壊機能を有する真偽判定装置と真偽を判定しようとする商品が一体的に固定されることを示す概略断面図である。
【００２８】
図１に示すように、前記自己破壊機能を有する真偽判定装置１０００は、自己破壊式保護部と、商品の真偽を判定する真偽判定部と、を具備する。前記自己破壊機能を有する真偽判定装置１０００と真偽を判定しようとする商品１００４は協力するように一緒に使う。前記自己破壊式保護部として、自己破壊式電気回路４を使うことができるが、他の自己破壊式保護部を使ってもよい。前記自己破壊機能を有する真偽判定装置１０００と前記真偽を判定しようとする商品１００４は、一体的に形成されている。低圧或いは高圧に密閉されるが密閉体１００３により一体的に連接されるか、前記自己破壊機能を有する真偽判定装置１０００が直接に前記真偽を判定しようとする商品１００４に連接されている。前記自己破壊式保護部は、密閉体１００３の内の気圧が変わると自己で壊れる気圧変化破壊式保護部、或いは前記自己破壊機能を有する真偽判定装置１０００と前記真偽を判定しようとする商品１００４が分離されると自己に壊れる分離破壊式保護部である。
【００２９】
具体的に説明すると、前記自己破壊機能を有する真偽判定装置１０００は、外置式真偽判定用カード８と、真偽判定装置本体１０００と、を含む。前記真偽判定装置本体１０００は、マイクロプロセッサー１と、前記マイクロプロセッサー１に電気的に接続された自己破壊式電気回路４と、前記自己破壊式電気回路４を駆動して作動するようにする自己破壊式トリガー回路３と、真偽を判定した結果を表示する表示装置５（または真偽判定の結果を放送するスピーカー）と、前記電気回路或いは電気部品に電気を提供する電源装置６と、を含む。
【００３０】
本実施形態において、前記マイクロプロセッサー１の表示信号出力端１４は、前記表示装置５の表示信号入力端５２に電気的に接続され、オン制御端１１とオフ制御端１２は、みんな開閉制御ボタン２に電気的に接続されている。前記マイクロプロセッサー１の真偽判定用入力端には、前記真偽判定用カード８の挿入端８１を所定の方向へ挿入させる真偽判定用カード挿入部１６が形成されている。前記真偽判定用カード８を前記真偽判定用カード挿入部１６に挿入させると、両者が互いに信号を転送し、且つ商品の真偽を判定することができる。他の実施形態で、非接触通信を使って前記真偽判定用カード８と真偽判定装置本体１０００を接続させなくて、両者が互いに信号を転送するようにすることもできる。前記自己破壊式電気回路４は、高圧の電気を出力して所定の部品を壊す電圧破壊式電気回路、或いは異常な状況が発生すると記録される情報を削除する情報削除式電気回路である。本実施形態で、電圧破壊式電気回路を使う。前記自己破壊式トリガー回路３は、包装体破損式トリガー回路３１と、磁気バランス式トリガー回路３２と、感光式トリガー回路３３と、分離式トリガー回路３４と、低電圧式トリガー回路３５と、前記マイクロプロセッサー１の使用回数制限式出力端１７に電気的に接続される使用回数制限式トリガー回路３６と、を含む。前記電圧破壊式電気回路の高圧出力端４２は、前記マイクロプロセッサー１の自己破壊式入力端１５に電気的に接続されている。前記自己破壊式トリガー回路３で、前記包装体破損式トリガー回路３１の出力端３１２と、前記磁気バランス式トリガー回路３２の出力端３２２と、前記感光式トリガー回路３３の出力端３３２と、前記分離式トリガー回路３４の出力端３４２と、前記低電圧式トリガー回路３５の出力端３５２と、前記使用回数制限式トリガー回路３６の出力端３６２と、は、全部前記電圧破壊式電気回路の受信入力端４３に電気的に接続されている。前記自己破壊式トリガー回路３で、前記包装体破損式トリガー回路３１は、商品の包装体或いは前記密閉体１００３の内の気圧が変わる電気を開閉するトリガースイッチ３１５を含む。前記磁気バランス式トリガー回路３２は、磁気物３２６と磁気スイッチ３２５から構成される磁気バランス式センサーを含む。前記感光式トリガー回路３３は、感光式素子３３５を含む。前記分離式トリガー回路３４は、商品を分解する電気を開閉する防分解式スイッチ３４５を含む。前記自己破壊式トリガー回路３の各々の電源入力端３１１、３２１、３３１、３４１、３５１、３６１は、前記自己破壊式電気回路４の電源入力端４１に電気的に接続され、前記マイクロプロセッサー１の電源入力端１３と前記表示装置５の電源入力端５１は、電池６の電源出力端６１に電気的に接続されている。
【００３１】
図２と図１に示すように、前記真偽判定装置１０００は、両側の気圧の変化差により上下へ動く隔膜３１６により第一密閉室１００１と第二密閉室１００２に分離されている。前記第二密閉室１００２と完全に密閉される前記密閉体１００３は、空気が流れるように貫通されている。前記第二密閉室１００２の内の気圧が変わる場合、前記隔膜３１６が上下へ動きながら前記自己破壊式電気回路４を作動させる。前記自己破壊式電気回路４が作動されると、前記マイクロプロセッサー１に記録されるプログラム、指令を削除するか、暗号化（encryption）する工程を始める。
【００３２】
本実施形態において、前記自己破壊機能を有する真偽判定装置１０００の表示装置５は、表示面が外部を向き合うように商品の包装袋或いは包装容器１００３の内壁に設置されている。前記表示装置５の外側には、透明する透明保護フィルム５３が形成されている。上述したように、前記真偽判定装置１０００は、隔膜３１６により第一密閉室１００１と第二密閉室１００２に分離されている。前記隔膜３１６の上方に形成される前記第一密閉室１００１は、前記真偽判定装置１０００の上板に形成される通風孔１０により外部と貫通されている。即ち、前記第一密閉室１００１と第一密閉室のそとが空気が流れるように貫通されているので、第一密閉室１００１の内の気圧と大気圧が同じである。前記隔膜３１６の下方に形成される前記第二密閉室１００２は、前記真偽判定装置１０００の下板に形成される通風孔１１０により前記包装容器１００３と貫通されている。前記第二密閉室１００２と前記包装容器１００３の内の気圧は、大気圧より高い高圧になるか、大気圧より低い低圧になっている。前記第二密閉室１００２或いは包装容器１００３の内の気圧と外部の大気圧が違うので、前記隔膜３１６が気圧差により上下へ動くことができる。前記第二密閉室１００２と包装容器１００３の内の気圧を低圧にする（例えば真空）場合、前記隔膜３１６が気圧差により下側へ動いた後所定の位置に止まり、且つスイッチ３１５を開放する。前記スイッチ３１５が開放されている場合、前記包装体破損式トリガー回路３１が作動しない。この場合、前記真偽判定装置１０００と前記真偽を判定しようとする商品１００４を分離させると、前記包装容器１００３が壊れ、外部の空気が前記包装容器１００３に入る。外部の空気が前記包装容器１００３に入ると、包装容器１００３の低圧が消え、前記隔膜３１６が元の形状に回復される。即ち、前記隔膜３１６が上方へ動く。隔膜３１６の上部に設置される前記スイッチ３１５は、前記隔膜３１６の動きによりオン状態（或いはオフ状態）からオフ状態（或いはオン状態）に変える。前記スイッチ３１５の状態が変えると、前記包装体破損式トリガー回路３１が作動され、且つ前記自己破壊式電気回路４にトリガー信号を入力する。前記自己破壊式電気回路４は、前記トリガー信号に従って前記マイクロプロセッサー１のプログラム、指令、暗号化用プログラムを削除する。同じな道理で、前記第二密閉室１００２と包装容器１００３の内の気圧を高圧する場合、前記隔膜３１６が気圧差により上側へ動いた後所定の位置に止まり、且つスイッチ３１５を押す。前記スイッチ３１５が押されている場合、前記包装体破損式トリガー回路３１が作動しないと仮定する。この場合、前記真偽判定装置１０００と前記真偽を判定しようとする商品１００４を分離させると、前記包装容器１００３が壊れ、包装容器１００３の内の空気が外部へ出る。前記包装容器１００３の空気が外部へ出るので、包装容器１００３の高圧が消え、前記隔膜３１６が元の形状に回復される。即ち、前記隔膜３１６が下方へ動く。隔膜３１６の上部に設置される前記スイッチ３１５は、前記隔膜３１６の動きによりオフ状態（或いはオン状態）からオン状態（或いはオフ状態）に変える。前記スイッチ３１５の状態が変えると、前記包装体破損式トリガー回路３１が作動され、且つ前記自己破壊式電気回路４にトリガー信号を入力する。前記自己破壊式電気回路４は、前記トリガー信号に従って前記マイクロプロセッサー１のプログラム、指令、暗号化用プログラムを削除する。
【００３３】
図３と図１に示すように、分離破壊式保護部が形成される前記真偽判定装置１０００の内には、磁気物３２６が形成されている。前記磁気物３２６は、真偽を判定しようとする商品１００４に形成される磁気物３２６と磁気バランスを維持する。前記真偽判定装置１０００と前記商品１００４は、一体的に形成され、前記真偽判定装置１０００の磁気物３２６と前記商品１００４の磁気物３２６との間には、磁気スイッチ３２５が形成されている。前記真偽判定装置１０００と前記商品１００４の相対位置が変わる（例えば、両者を分離させる）場合、前記２つの磁気物３２６の間の磁気バランスが破損されるので、前記磁気スイッチ３２５がオフ状態（或いはオン状態）からオン状態（或いはオフ状態）に変える。前記磁気スイッチ３２５の開閉状態が変わると、前記分離破壊式保護部が作動される。本実施形態で、前記真偽判定装置１０００の磁気物３２６と前記商品１００４の磁気物３２６の磁気強度が同じであり、且つ向き合う２つの磁気物３２６の極性が同じである。前記磁気スイッチ３２５は、リードスイッチ（Reed Switches）から構成され、且つ２つの磁気物３２６により形成される磁場の中心に位置している。前記２つの磁気物３２６と前記磁気スイッチ３２５により磁気バランス式センサーが形成される。前記真偽判定装置１０００と前記商品１００４の相対位置が変わる（例えば、両者を分離させる）場合、２つの磁気物３２６の磁気強度が変わり、前記磁気スイッチ３２５の状態が変わり、且つ前記分離破壊式保護部が作動される。従って、前記分離破壊式保護部が前記マイクロプロセッサー１のプログラム、指令、暗号化用プログラムを削除する。
【００３４】
また、他の実施形態で、前記真偽判定装置１０００に感光式トリガー回路３３をさらに設置することができる。前記真偽判定装置１０００と前記商品１００４を分離させる場合、外部の光線が感光式トリガー回路３３の感光式素子３３５に入射され、前記感光式トリガー回路３３が作動される。他の実施形態で、前記真偽判定装置１０００に分離式トリガー回路３４を設置することもできる。前記分離式トリガー回路３４に使う防分解式トリガースイッチ３４５は、電気回路基板７のコンタクト点３４５１に置かれ、且つ固定部品３４５２により固定されている。前記真偽判定装置１０００と前記商品１００４を分離させる場合、前記固定部品３４５２が破損され、前記防分解式トリガースイッチ３４５の状態が変わる。前記防分解式トリガースイッチ３４５の状態が変わると、前記分離式トリガー回路３４が作動される。他の実施形態で、前記真偽判定装置１０００に低電圧式トリガー回路３５を設置することもできる。前記低電圧式トリガー回路３５は、真偽判定装置１０００の電池６の電圧の変化により作動される。即ち、前記電池６の電圧が所定値より小さくなる場合、電圧の変化により前記低電圧式トリガー回路３５が作動される。他の実施形態で、前記真偽判定装置１０００に使用回数制限式トリガー回路３６を設置することもできる。前記マイクロプロセッサー１の使用回数制限式出力端１７を使う回数が所定の回数に到達すると、使用回数制限式出力端１７で出力するトリガー信号により、前記使用回数制限式トリガー回路３６が作動される。前記自己破壊式トリガー回路３中で何れか１つのトリガー回路６が作動されると、前記自己破壊式電気回路４（即ち、電圧破壊式電気回路）が高圧の電気を出力して、マイクロプロセッサー１のプログラム、指令、暗号化用プログラムを削除する。従って、前記真偽判定装置１０００が修理できないように壊れる。
【００３５】
前記真偽判定装置１０００を組み立てる場合、前記マイクロプロセッサー１が自己で破壊されることを防ぐために、前記自己破壊式電気回路４（即ち、電圧破壊式電気回路）の電源入力端４１と高圧出力端４２との間に絶縁体（図に示さない）を設置することができる。前記真偽判定装置１０００を組み立てた後、起動回数をゼロにし、前記商品１００４の包装容器１００３に空気を入れるか出して包装容器１００３の内の気圧を高圧或いは低圧にする。次に、前記絶縁体を抜いて前記自己破壊式電気回路４がスタンバイに入るようにする。前記絶縁体は、薄く、柔らかい材料から製造する。前記絶縁体を抜いた後、再度電源入力端４１と高圧出力端４２との間に入れることができない。
【００３６】
以下、図４を参照しながら本発明の真偽判定方法を説明する。前記商品１００４の真偽を判定する場合、まず商品１００４の密閉状態を検査する。もし、前記商品１００４の密閉状態が破損されないと、前記真偽判定用カード８の挿入端８１を前記マイクロプロセッサー１の真偽判定用カード挿入部１６に挿入して商品１００４の真偽を判定する。もし、前記商品１００４の密閉状態が破損されたと、真偽を判定できないしまった。非接触通信を使う真偽判定用カード８を使う場合、前記真偽判定用カード８を前記真偽判定装置１０００に接近させた後、前記開閉制御ボタン２を押すと、真偽判定装置１０００が作動され、且つ前記商品１００４の真偽を判定することができる。前記真偽判定装置１０００が作動されないと、真偽判定装置１０００が自分で壊れ、商品１００４の真偽を判定できないことを説明する。前記真偽判定装置１０００が失効されないが、前記商品１００４の真偽を判定できない場合は、前記真偽判定装置１０００が自分検査を実施する。まず、前記真偽判定装置１０００のプログラム、指令を使って、真偽判定用カード８のデータベースから、商品コードが存在するアドレスを検索し、且つデータベースに隠れているランダムコードを読み出す。次に、読み出した商品コードを何回解読（decryption）し、演算する。次に、前記真偽判定装置１０００のプログラム、指令を使って、前記商品コードの補正コード（complement）、違うコードなどを読み出す。次に、前記補正コード、違うコードなどで１つのコードを選んで、前記マイクロプロセッサー１の暗号化手段に使う。即ち、選んたコードを前記マイクロプロセッサー１の暗号化手段に使って、何回演算して前記商品コードと違う検査用コードを得る。前記検査用コードは、真偽を判定する者が使うコードではない。次に、前記マイクロプロセッサー１が上述したステップで得る二進式コードを十進式コード或いは十六進式コードに変えて、前記表示装置で表示できる表示コードを得る。次に、前記表示コードを前記表示装置５に入力して、真偽を判定した結果を表示するようにする。前記表示装置５には、商品に関するが情報および/または前記真偽判定装置１０００の使用回数が表示される。前記商品１００４の真偽を判定する仕事が終わると、使用者が前記開閉制御ボタン２を押して真偽判定装置１０００をオフさせるか、定刻に真偽判定装置１０００に自動にオフする手段を設けることができる。前記真偽判定装置１０００がオフされた後、前記真偽判定用カード８を前記真偽判定装置１０００から抜く。
【００３７】
以下、前記真偽判定装置１０００が前記真偽判定用カード８の内のコードを識別し、暗号化する過程に対して説明する。前記真偽判定用カード８に入力されている商品ランダムコードは、二進式コードをランダムに配列して得るコード組である。以下の表に示す商品ランダムコードは、四つの数字を一組にして前記ランダムコードの間に分布させることである。
【００３８】
【表１】
2010521753.tif 000003
前記マイクロプロセッサー１は所定のプログラム、指令を使って、前記真偽判定用カード８のランダムコードで商品コードに対応するアドレスと需要な商品判定用コードを選び出す。本実施形態での商品判定用コードは六組のコードから構成され、且つ別々に真偽判定用カードの１０５０号アドレス、３６８０号アドレス、１５６０６号アドレス、２３１６８号アドレス、５７８６０号アドレス、１５３６８６号に保存されている。
【００３９】
【表２】
2010521753.tif 000004
前記マイクロプロセッサー１が得る判定用コードを処理して商品コードの補正コードを得る。次に、前記補正コードを前記マイクロプロセッサー１の内の暗号化手段に使って商品に関するソースコードを得る。
【００４０】
【表３】
2010521753.tif 000005
二進式ソースコードを十六進式コードに翻訳してソースコードを得る。本実施形態のコードは、数字０〜９を含むばかりでなく、字母Ｈ、Ｌ、Ｐ、Ｃ、Ｆ、Ｅを十六進式の１０、１１、１２、１３、１４、１５にして使う。
【００４１】
【表４】
2010521753.tif 000006
マイクロプロセッサー１の内のプログラム、指令、暗号化手段を使って、前記真偽判定用カード８のデータ、コードなどを識別、配列、暗号解読する方法が多いが、本実施形態で上述した方法だけを説明する。
【００４２】
上述した真偽判定技術で商品の真偽を判定しようとすると、以下の２つの仕事をしなければならない。１つは、専門の管理部門で前記真偽判定用カードを製造して、カードの使用者に供与することである。他の１つは、保護しようとする商品の情報を本発明の真偽判定装置に入力することである。前記真偽判定装置は、専門製造メーカで製造して提供する。偽造を防ごうとする商品メーカで、前記真偽判定装置を購入して、低圧或いは高圧方式で商品の包装袋或いは包装容器１００３の所定の位置に設置する。即ち、前記真偽判定装置１０００と前記商品１００４を分離させると前記真偽判定装置が自分で壊れるように、真偽判定装置１０００と商品１００４が一体的に固定して販売する。商品の真偽を判定しようとする者が前記真偽判定装置の表示装置で見る情報をインタネット或いは電話で検索することができる。本発明の真偽判定装置は、異常な状況がある場合自分で壊れる機能を有するので、偽物製造者が商品を模造することを防ぐことができる。
【００４３】
以下、本発明の具体的な効果は以下で詳しく説明する。第一、本発明の真偽判定装置１０００のマイクロプロセッサー１には自分で壊れられる自己破壊式電気回路４が形成されているので、一旦商品の包装が破損されと前記商品の真偽を判定できなくなる。前記真偽判定装置１０００は、以下の２つの原因により本物だけがある特徴を確保することができる。１つの原因は、前記真偽判定装置１０００のマイクロプロセッサー１の内の真偽判定用プログラムと暗号化手段は、自己破壊式プログラム或いは自己破壊式装置を設置した後、マイクロプロセッサー１の内に形成したので、偽物製造者が前記真偽判定用プログラムと暗号化手段を得ることができない。即ち、前記真偽判定装置１０００を製造する過程は、真偽判定装置メーカの人ばかり分からないので、秘密性がよい。他の１つの原因は、前記真偽判定装置１０００と前記商品１００４は、低圧或いは高圧に密閉される包装袋或いは包装容器１００３により一体的に連接されている。前記包装袋或いは包装容器１００３に極に小さい穴が形成されても、前記包装袋或いは包装容器１００３の内の低圧或いは高圧状態が消える。前記包装体破損式トリガー回路３１は、前記包装容器１００３の内の気圧変化を感知し、且つ前記自己破壊式電気回路４にトリガー信号を入力する。前記自己破壊式電気回路４は、前記トリガー信号に従って前記マイクロプロセッサー１のプログラム、指令、暗号化用プログラムを削除する。且つ、前記真偽判定装置１０００の内には、磁気物３２６を有する分離破壊式保護部が形成されている。前記磁気物３２６は、真偽を判定しようとする商品１００４に形成される磁気物３２６と磁気バランスを維持する。前記真偽判定装置１０００と前記商品１００４は、一体的に形成され、且つ真偽判定装置１０００の磁気物３２６と商品１００４の磁気物３２６との間には、磁気スイッチ３２５が形成されている。前記真偽判定装置１０００と前記商品１００４の相対位置が変わる（例えば、両者を分離させる）場合、前記２つの磁気物３２６の間の磁気バランスが破損され、前記磁気スイッチ３２５の状態が変わる。従って、前記分離破壊式保護部が作動され、且つ前記自己破壊式電気回路４にトリガー信号を入力する。前記自己破壊式電気回路４は、前記トリガー信号に従って前記マイクロプロセッサー１のプログラム、指令、暗号化用プログラムを削除する。上述したように、前記真偽判定装置１０００が一旦自己で破壊されると、商品１００４の真偽を判定することができないので、本物だけがある特徴を保護することができる。
【００４４】
第二、偽物製造者が前記真偽判定装置１０００をコピーするか模倣することができない。周知のように、すべてのハードウエアは作動原理と固有機能に根拠してコピーするか模造することができるが、本発明の真偽判定装置１０００はマイクロプロセッサー１に自己破壊式電気回路４が形成されているのでコピーするか模造することができない。前記真偽判定装置１０００と前記商品１００４を一体的に密閉させる前記包装袋或いは包装容器１００３に極に小さい穴が形成されても、前記真偽判定装置１０００が自己で破壊する。又前記真偽判定装置１０００と前記商品１００４を分離させるか、前記真偽判定装置１０００を壊すか、前記電気回路基板７の固定部品３４５２を壊すか、前記電池６に電気がないか、使用回数が前記マイクロプロセッサー１の所定の使用回数に到達する場合も、前記真偽判定装置１０００の自己破壊式トリガー回路３が作動され、且つ前記自己破壊式電気回路４にトリガー信号を入力する。前記自己破壊式電気回路４は、前記トリガー信号に従って前記マイクロプロセッサー１の内のプログラム、指令、暗号化用プログラムを削除する。即ち、上述した場合で１つの状況だけが発生しても、真偽判定装置１０００が自己で壊れる。前記真偽判定装置１０００に自己破壊式電気回路４が形成されているので、偽物製造者を製造するための原物と見本を得ることができなく、且つ前記真偽判定装置１０００はコピーするか模倣することができない。
【００４５】
第三、真偽を判定しようとする商品と分離される真偽判定装置１０００を再度使うことができない。上述したように、前記真偽判定装置１０００が前記商品から分離されると、前記イクロプロセッサー１の内のプログラム、指令、暗号化用プログラムが無くなり、真偽判定装置１０００の機能が完全に消える。従って、前期真偽判定装置１０００を絶対再度使うことができない。
【００４６】
第四、本発明の真偽判定用カードは特殊な機能を有している。上述したように前記真偽判定用カード８には、ランダムコードが多く入力されている。前記真偽判定用カード８を使う場合、カードの内に記録されるコードを読み出さなければならないので、偽物製造者がカードの内のコードを読み出せるかも知らない。前記真偽判定用カード８の内のコードを読み出し、且つこれを識別し、配列して、商品に関するコードを得ることを防ぐために、本発明では以下の方法を使う。１つは、前記真偽判定用カードの内の商品コードが前記ランダムコードの数量に比較して極に少なく、且つ前記ランダムコードの内に分散されているので、偽物の製造者が前記真偽判定用カードの商品コードを読み出しても、どれが商品コードが分かることができないことである。即ち、前記ランダムコードを識別し、配列して商品コードを読み出すプログラムと暗号解読手段がないので、多いランダムコードから商品に関するコードを得ることができない。第二の原因は、前記真偽判定用カード８の内の二進式データはみんなランダムコードから構成されているので、真偽判定用カード８を製造者も何れか１つの真偽判定用カード８にどんなコードが入っていることをわからないことである。前記真偽判定用カード８の内に記録される大量のランダムデータで商品コードを読み出そうとすると、前記真偽判定装置１０００を使わなければならない。即ち、前記真偽判定装置１０００の内のプログラム、指令、暗号解読手段などを使って、前記商品コードを読み出す。真偽判定装置１０００の使用者は、読み出す商品コードと真偽判定装置１０００或いは真偽判定用カード８の表面に記載される商品コードを比較して、商品の真偽を判定することができる。上述したように、前記真偽判定装置１０００は、一回しか使えないので、偽物製造者が真偽判定装置或いは真偽判定用カードの表面に記載される商品コードをコピーして使うことができない。第三の原因は、前記真偽判定装置１０００と前記真偽判定用カード８を一緒に使わないと、真偽判定用カード８の内の商品コードを読み出せないことである。具体的に説明すると、前記真偽判定装置１０００の内のプログラム、指令、暗号解読手段などを使わないと、前記真偽判定用カード８のランダムコードに隠れている商品のコードを早く読み出すことができない。第四の原因は、上述してステップで読み出す商品のコードが本物のコードであるか、需要するソースコードでないことである。前記商品コードが需要するソースコードではない場合、前記真偽判定装置１０００のプログラム、指令、暗号解読手段などを使って、前記商品コードの補正コード、違うコードなどを読み出す。次に、前記補正コード、違うコードなどで１つのコードを選んで、前記マイクロプロセッサー１の暗号化手段に使う。即ち、選んたコードを前記マイクロプロセッサー１の暗号化手段に使って、何回演算して前記商品コードと違う検査用コードを得る。前記検査用コードは、真偽を判定する者が使うコードではない。次に、前記マイクロプロセッサー１が上述したステップで得る二進式コードを十進式コード或いは十六進式コードに変えて、商品に関するがソースコードと前記真偽判定装置１０００の使用回数が表示装置で表示する。これで得るソースコードと上述した商品コードは違う。即ち、需要するソースコードを得ようとすると、前記真偽判定装置１０００のプログラム、指令、暗号解読手段などを使って、前記真偽判定用カード８の内のコードを読み出し、且つこれを識別し、配列して、商品に関するコードを得なければならない。前記偽物製造者が前記真偽判定用カード８の内のすべてのコードを読み出しても、一回しか使えない前記真偽判定装置１０００のプログラム、指令、暗号解読手段などを分からないので、多いランダムコードから需要なソースコードを選び出すことができない。
【００４７】
第五、偽物製造者が前記真偽判定用カード８をコピーするか、模造することができない。偽物製造者が前記真偽判定用カード８の内のすべてのコードを読み出しても、多いランダムコードから需要なソースコードを選び出す方法を分からないので、製造した偽物を本物にする可能性がない。偽物製造者が再び前記真偽判定用カード８にコードを入力しても、前記真偽判定装置１０００がこの真偽判定用カード８から需要なソースコードを読み出すことができないので、偽物を本物にする可能性がない。且つ、偽物製造者が毎真偽判定用カードの唯一なランダムコードを正確に獲得することができない。且つ、偽物製造者が模造した真偽判定用カードが専門の管理部門でもらわないので、模造した真偽判定用カードが使用者の手に入る可能性がない。
【００４８】
第六、本発明の真偽判定装置１０００を昇級させて、反偽の効果をさらに高めることができる。前記真偽判定装置１０００を昇級させる場合、前記真偽判定装置１０００のプログラム、指令、暗号解読手段などだけを昇級させる同時に、真偽判定用カード８の内にコードを変える。前記真偽判定用カード８の内にコードを変えなく、真偽判定用カード８を提供する専門管理部門に行って昇級することもできる。使用者の便利性をために、前記真偽判定装置１０００を昇級させる時、古い真偽判定装置と新しい真偽判定装置を一緒に使えるように設定することができる。
【００４９】
本発明の自己破壊機能を有する真偽判定装置と真偽判定方法は、商品の反偽だけではなく、物流の領域にも使って、運搬する物体を管理することができる。本発明の自己破壊機能を有する真偽判定装置に設けられるマイクロプロセッサーの電気消費量が少ないので、マイクロプロセッサーに設けられる電池を数年ぐらい使うことができる。今後、電気消費量がさらに少ないマイクロプロセッサーと、電気容量がさらに大きい電池を使って、自己破壊機能を有する真偽判定装置の有効期間を有効に長めることができる。即ち、電池の電気がなくなって、真偽判定装置が自己で破壊することを防いで、使用者が商品の真偽を判定できないことを防ぐことができる。
【００５０】
本実施形態において、上述した自己破壊機能を有する真偽判定装置１０００は、気圧の変わる時形状が元の状態に戻る球面形の隔膜３１６を使ったが、他の実施形態で、弾性力がよく、内の高圧或いは低圧が消える場合形状が元の状態に戻れる任意の形を有する隔膜３１６を使うことができる。異常な状況が現れる場合前記真偽判定装置１０００が自己で壊れることを確保するために、前記真偽判定装置１０００に上述した包装体破損式トリガー回路３１と磁気バランス式トリガー回路３２を設置する同時に、感光式トリガー回路３３、分離式トリガー回路３４、低電圧式トリガー回路３５、使用回数制限式トリガー回路３６などを一種或いは何種さらに設けることができる。特殊な使用者のために、真偽を判定した結果を前記表示装置に表示しなく、スピーカなどで結果を放送して使用者が真偽を判定するようにすることもできる。この場合、真偽判定の結果に関する表示信号を音声信号に変える必要がある。他の実施形態で、真偽判定装置１０００に開閉制御ボタン２を設けない、トリガースイッチを設けることもできる。従って、前記真偽判定用カード８を真偽判定装置１０００に挿入する場合、前記トリガースイッチにより真偽判定装置１０００がオンされ、真偽判定用カード８を抜く場合、前記トリガースイッチにより真偽判定装置１０００がオフされる。他の実施形態で、真偽判定装置１０００の第一密閉室１００１の気圧と大気圧を不同にすることができる。前記第一密閉室１００１の気圧は、第一密閉室１００１と第二密閉室１００２の気圧差により前記隔膜３１６が動くことができる気圧を選ぶ。前記真偽判定装置１０００の表示装置５は、商品に関するが情報だけを表示するか、商品に関するが情報と真偽判定装置１０００の使用回数を一緒に表示することができる。
【００５１】
上述の実施形態では、表示装置が真偽判定装置だけに設置されましたが、真偽判定用カードだけに表示装置を設けても良い。また、真偽判定用カードと、真偽判定装置と両方に表示装置を設けても良い、この場合、真偽を判定した結果を同時に表示することができる。
【００５２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００５３】
１  マイクロプロセッサー
２  開閉制御ボタン
３  自己破壊式トリガー回路
４  自己破壊式電気回路
５  表示装置
６  電源装置、電池
８  真偽判定用カード
１０  通風孔
１１  オン制御端
１２  オフ制御端
１４  表示信号出力端
１３  電源入力端
１５  自己破壊式入力端
１６  真偽判定用カード挿入部
１７  使用回数制限式出力端
３１  包装体破損式トリガー回路
３２  磁気バランス式トリガー回路
３３  感光式トリガー回路
３４  分離式トリガー回路
３５  低電圧式トリガー回路
３６  使用回数制限式トリガー回路
４１  電源入力端
４２  高圧出力端
４３  受信入力端
５１  電源入力端
５２  表示信号入力端
５３  透明保護フィルム
６１  電源出力端
８１  挿入端
１１０  通風孔
３１１  電源入力端
３１２  出力端
３１５  トリガースイッチ
３１６  隔膜
３２１  電源入力端
３２２  出力端
３２６  磁気物
３２５  磁気スイッチ
３３１  電源入力端
３３２  出力端
３３５  感光式素子
３４１  電源入力端
３４２  出力端
３４５  防分解式スイッチ
３５１  電源入力端
３５２  出力端
３６１  電源入力端
３６２  出力端
１０００  自己破壊機能を有する真偽判定装置
１００１  第一密閉室
１００２  第二密閉室
１００３  密閉体
１００４  真偽を判定しようとする商品
【図２】
2010521753.tif 000007
【図３】
2010521753.tif 000008
【図１】
2010521753.tif 000009
【図４】
2010521753.tif 000010
【国際調査報告】
2010521753.tif 000011
2010521753.tif 000012
2010521753.tif 000013
2010521753.tif 000014
2010521753.tif 000015
2010521753.tif 000016
2010521753.tif 000017
2010521753.tif 000018